(57)【要約】【課題】  受信した映像の表示中に、他の情報を表示する場合に、受信した映像の表示を中断することなく、映像と他の情報を利用者にとって見やすいように表示することができる携帯電話機を提供する。【解決手段】  放送される番組を受信する携帯端末であって、受話要求信号を受け取る信号受取手段と、受話要求信号を受け取った場合に、受信していた番組を示す番組情報と受信時刻とを記録する記録手段と、携帯端末から受信した信号に応じて動作する外部の再生装置に、前記再生装置に録画されている番組のうち、前記記録手段で記録した番組情報で示される番組の、前記記録手段で記録した受信時刻に対応する位置から再生を開始するように指示する再生信号を送信する再生送信手段とを備えたことを特徴とする。【選択図】 図２
2010119112.tif 000002
【特許請求の範囲】
【請求項１】
放送される番組を受信する携帯端末であって、
受話要求信号を受け取る信号受取手段と、
受話要求信号を受け取った場合に、受信していた番組を示す番組情報と受信時刻とを記録する記録手段と、
携帯端末から受信した信号に応じて動作する外部の再生装置に、前記再生装置に録画されている番組のうち、前記記録手段で記録した番組情報で示される番組の、前記記録手段で記録した受信時刻に対応する位置から再生を開始するように指示する再生信号を送信する再生送信手段と
を備えたことを特徴とする携帯端末。
【請求項２】
前記再生信号は、前記受信時刻を含むこと
を特徴とする請求項１記載の携帯端末。
【発明の詳細な説明】
【技術分野】
【０００１】
本発明は、携帯端末に関し、特に放送受信機能と外部の再生装置を制御する機能を有する携帯端末に関する。
【背景技術】
【０００２】
近年、携帯端末の一つである携帯電話機は、通話機能だけでなく放送受信機能や外部機器を遠隔制御する機能を有するものが提案されており、特許文献1と特許文献2に各機能に関する技術が開示されている。
【０００３】
利用者は、外出先で携帯電話機を用いて放送番組を視聴することができるが、番組を視聴している最中に受話要求に応じて通話する場合や、放送の情報をのせた電波の状態が悪くなる場合など、番組の視聴が中断される場合がある。
【０００４】
このような場合であっても、視聴を中断した番組を家で予め録画再生装置により録画していれば、帰宅後にその番組の視聴できなかった部分を早送りや巻き戻しを指示して探し出し、その部分から番組を再生させることができる。
【０００５】
また録画再生装置を操作するリモコンとして、外部機器制御機能を有する携帯電話機を用いることも可能である。
【先行技術文献】
【特許文献】
【０００６】
【特許文献１】特再表02/007334号公報
【特許文献２】特開平11-284757号公報
【発明の概要】
【発明が解決しようとする課題】
【０００７】
しかしながら、利用者がどの部分から視聴できなくなったかを覚えているとは限らず、また、帰宅後に視聴を中断した位置を探し出す操作は非常に煩わしい。
【０００８】
そこで、本発明は、簡単な操作により携帯端末において視聴を中断した位置から再生装置に番組を再生させる携帯端末を提供することを目的とする。
【課題を解決するための手段】
【０００９】
上記目的を達成するために、本発明は、放送される番組を受信する携帯端末であって、受話要求信号を受け取る信号受取手段と、受話要求信号を受け取った場合に、受信していた番組を示す番組情報と受信時刻とを記録する記録手段と、携帯端末から受信した信号に応じて動作する外部の再生装置に、前記再生装置に録画されている番組のうち、前記記録手段で記録した番組情報で示される番組の、前記記録手段で記録した受信時刻に対応する位置から再生を開始するように指示する再生信号を送信する再生送信手段とを備えたことを特徴とする
【発明の効果】
【００１０】
この構成によれば、携帯端末で放送番組を受信中、放送の受信を中断する事由が発生しても、再生装置にその番組を再生させる場合に未受信部分の再生開始位置を探す手間が省け、受信できなかった位置から容易に番組を再生させることができる。
【図面の簡単な説明】
【００１１】
【図１】本発明の実施の形態に係る携帯電話機の機能上の構成を示す図である。
【図２】本発明の実施の形態に係る携帯電話機と録画再生装置とにおける機能上の構成を示すブロック図である。
【図３】本発明の実施の形態に係る携帯電話機における受信情報記録処理のフローチャートを示す図である。
【図４】本発明の実施の形態に係る携帯電話機から外部の録画再生装置に対する再生指示処理のフローチャートを示す図である。
【図５】本発明の実施の形態に係る録画再生装置における録画番組再生処理のフローチャートを示す図である。
【図６】受信情報記録処理において記録される受信情報を例示した図である。
【図７】本発明の実施の形態に係る携帯電話機のディスプレイに録画情報の番組を表示させた場合を例示した図である。
【発明を実施するための形態】
【００１２】
＜構成＞
図1に示す本発明に係る番組再生システム500は、録画情報を有する録画再生装置400が、放送受信機能を有する携帯端末300から送信される再生信号を受信し、再生信号に基づき録画番組を再生するシステムであり、携帯端末である携帯電話機300と録画再生装置400を備える。
【００１３】
ここで、携帯電話機300は、無線部10、変復調部20、音声処理部30、放送受信部40、アンテナ50、マイク60、スピーカ70、操作部80、表示部90、記憶部100及び制御部200を有する。
【００１４】
制御部200は、受信状況検知部201、番組受付部202、受信情報表示制御部203、再生位置受付部204、再生送信部210及び外部機器制御部220を含んで構成される。
【００１５】
また、図1の制御部200を拡大したものと録画再生装置400の機能構成を図2に示しており、制御部200の外部機器制御部220は再生送信部210と録画情報取得部211を含んで構成される。
【００１６】
一方、録画再生装置400は、録画制御部410、録画情報送信部420、再生開始位置受信部430、及び再生制御部440を有する。
＜携帯電話機＞
以下、携帯電話機300の各構成要素について詳細に説明する。
【００１７】
ここで、無線部10は、アンテナ50に受信された受信信号を増幅し、変復調部20により変調された送信信号を増幅してアンテナ50から送信する。
【００１８】
変復調部20は、無線部10によって増幅された受信信号を受話音声信号、及び受信データ信号に復調し、音声処理部30によってＡ／Ｄ変換された送話音声信号及び制御部200から与えられる送信データ信号を送信信号に変調する。
【００１９】
また、音声処理部30は、変復調部20により復調された受話音声信号をＤ／Ａ変換してスピーカ70から発音させ、マイク60から取得した送話音声信号をＡ／Ｄ変換する。
【００２０】
尚、音声及びデータの送受信そのものを実現するための構成は本発明の特徴部分ではないので、従来用いられている一般的な構成を適宜採用するものとし、説明を省略する。
【００２１】
放送受信部40は、制御部200の指示に応じて放送の受信を開始し、利用者による操作部50を通じてなされる放送番組の選択に応じて制御部200が指示する放送番組の選局を行う。また、受信している放送の電子番組ガイドを取得し、受信状況検知部201へ番組情報を示す信号を送出する。番組情報は、受信した番組のチャンネル、番組名、放送日付を含む放送開始時刻、放送終了時刻である。
【００２２】
操作部80は、オンフックボタン、オフフックボタン、5接点ボタン、数字ボタンなどから構成されている。これらのボタン押下を利用者の操作により受付けると、受付けたボタン操作に応じて放送番組の受信、外部の録画再生装置400の再生制御、通話、メール送受信などを示す信号を制御部200に送出する。
【００２３】
表示部90は、例えば液晶パネルで実現され、受信する放送番組の映像、携帯電話機300で実行可能なメニューやメールなどの画像を制御部200の指示に応じて表示する。
【００２４】
記憶部100は、受信状況検知部201から受け取った番組を示す情報と番組の受信開始時刻と受信停止時刻とを受信情報として記憶している。
【００２５】
制御部200は、CPU及びメモリ（ROM、RAM）を含んで構成され、利用者による操作部80の操作に応じて携帯電話機300の各部を制御する機能を有しており、ROMに格納されているプログラムをCPUが実行することにより携帯電話機300の全体動作を制御する。ROMは、特に本発明に特徴的な動作、つまり外部の録画再生装置400へ番組の再生指示を送信する動作を実現するためのプログラムを保持している。RAMは、CPUがプログラムを実行するための作業用データを一時的に保持する。
【００２６】
受信状況検知部201は、放送番組の受信開始と受信停止を検知する。放送受信部40から番組情報を受け取ると、現在時刻を受信開始時刻として、その番組情報と受信開始時刻をメモリに記憶させる。
【００２７】
また、受信状況検知部201が放送番組の受信停止を検知すると、受信状況検知部201は受信停止を検知した時刻とメモリ上の受信開始時刻の間隔が所定の時間以上であるか否かを判断し、所定時間以上であると判断した場合、受信していた番組情報と受信開始時刻と受信停止時刻とを受信情報として記憶部100へ記録する。
【００２８】
尚、本実施の形態においては、一つの放送番組を5分以上受信した場合に限り、記憶部100へ記録することとする。
【００２９】
ここで、放送の受信停止を検知する場合として、例えば、無線部10を通じて受話要求信号を受け取り、利用者によるオフフックボタン81押下を受付けた場合や、受信している番組と異なる番組の指定を利用者による操作部80の操作を通じて受付けた場合がある。
【００３０】
また、受信する放送の電波状況が悪くなり画像や音声を受信できなくなった場合も受信停止を検知する。この場合、予め画像や音声を最低限認識できる電界強度を測定してメモリに記憶させ、受信中の電界強度が当該電界強度に達していない場合に受信状況検知部201は受信停止を検知する。
【００３１】
番組受付部202は、利用者による操作部80を通じてなされる外部の録画再生装置400へ再生させる番組の指定を受付け、受付けた放送番組を示す信号を受信情報表示制御部204へ送出する。
【００３２】
ここで、番組の指定は、録画情報取得部211が録画再生装置400の録画情報送信部420から録画情報を受信し、表示部90へ表示した録画情報における番組から利用者の選択を受付けることにより行う。
【００３３】
受信情報表示制御部203は、番組受付部202から受け取った番組が記憶部100における受信情報の番組と一致する場合、当該番組の全受信停止時刻と当該番組の録画開始時刻を表示部90へ表示する信号を送出し、番組が一致しない場合は番組受付部202から受け取った番組の録画開始時刻を表示する信号を表示部90へ送出する。
【００３４】
再生位置受付部204は、表示部90に表示された番組の受信停止時刻と録画開始時時刻のうち、利用者が操作部80を通じて選択した時刻を受付け、受付けた時刻と番組とを再生開始位置情報として再生送信部210へ送出する。
【００３５】
外部機器制御部220は、録画再生装置400に対する制御信号の送受信を行い、例えば、赤外線の発光素子と受光素子で実現され、録画再生装置400と赤外線により通信し、再生送信部210と録画情報取得部211を有する。
【００３６】
ここで、再生送信部210は、再生位置受付部204から受け取った再生開始位置情報を示す信号を録画再生装置400の再生開始位置受信部430へ送信する。
【００３７】
また、録画情報取得部211は、利用者による操作部80の再生指示を割当てたボタン押下を受付けると、録画再生装置400の録画制御部410へ録画情報を要求する信号を送信する。録画再生装置400の録画情報送信部420から録画情報を受信し、表示部90へ受け取った録画情報を表示する。
＜録画再生装置＞
本発明に係る録画再生装置400は、テレビ放送番組などの動画を録画し、番組の録画情報を生成して記憶し、指定された時刻から再生開始位置を求め、その位置から再生する機能を有する録画再生装置であり、特開2000-041066号公報に開示されている録画再生装置の録画、再生機能については同様の構成を備えている。以下、本発明に係る録画再生装置400の特徴的な構成要素について説明する。
【００３８】
録画制御部410は、録画再生装置400において指定された放送番組を受信して録画し、録画情報を生成して図示しない録画情報記憶領域へ録画情報を書き込む。
【００３９】
更に、携帯電話機300の録画情報取得部211から録画情報を要求する信号を受信すると、録画情報を読み出して録画情報送信部420へ録画情報を示す信号を送出する。
【００４０】
尚、録画情報は番組の録画日時、録画した番組を示す情報、及び番組の総録画時間を含む情報であり、録画番組の電子番組ガイドを取得して録画情報を生成することとする。
【００４１】
録画情報送信部420は、録画制御部410から受け取った録画情報を示す信号を携帯電話機300の録画情報取得部211へ送信する。
【００４２】
再生開始位置受信部430は、携帯電話機300の再生送信部210から再生させる番組と時刻を受信すると、当該番組と時刻を示す信号を再生制御部440へ送出する。
【００４３】
再生制御部440は、録画情報に基づき再生開始位置受信部430から受け取った時刻から再生開始位置を求め、求めた位置から番組を再生する。
【００４４】
＜データ＞
図6(a)は、携帯電話機300の受信情報テーブル1000を例示している。
【００４５】
本実施の形態では、受信開始時刻と受信停止時刻の間隔が5分以上であった番組のチャンネル、受信開始時刻及び受信停止時刻を記録する。
【００４６】
図6 (b)は、録画再生装置400が生成する録画情報テーブル2000を例示しており、録画情報として録画番組のチャンネル、録画番組名、録画開始時刻、録画時間を有する。
＜動作＞
以下、上述した構成を備える番組再生システムの動作について説明する。
＜受信情報記録処理＞
携帯電話機300において放送番組を受信し、番組の受信時間が一定の条件を満たしている番組の受信情報を記録する処理について説明する。
【００４７】
図3は、携帯電話機300において受信情報記録処理を示すフローチャートを表している。
【００４８】
放送受信部40は、利用者による操作部80の操作により、ある放送番組を受信すると、受信状況検知部201へ番組情報を送出し、受信状況検知部201は当該放送番組の番組情報と受信開始時刻をメモリに記憶させる(ステップS10)。
【００４９】
続いて、受信状況検知部201が放送番組の受信停止を検知した場合(ステップS20)、受信状況検知部201は受信停止を検知した時刻と受信開始時刻の間隔が5分以上であるか否かを判断する(ステップS30)。
【００５０】
ステップS30において、受信状況検知部201が番組の受信時間が5分以上であると判断した場合、受信状況検知部201は受信停止を検知した時刻を受信停止時刻とし、受信停止時刻と番組情報と受信開始時刻とを示す受信情報を記憶部100へ書き込む信号を送出する(ステップS40)。
＜再生指示処理、録画番組再生処理＞
次に、携帯電話機300が録画再生装置400から取得した録画情報の番組から再生させる番組と、当該番組の受信情報から再生開始位置を示す受信停止時刻の選択を利用者から受付け、受信停止時刻に対応する位置から番組の再生開始を指示する再生指示処理と、携帯電話機300から受信した再生指示に応じて番組の再生を開始する録画番組再生処理について説明する。
【００５１】
ここで、図4は、携帯電話機300から録画再生装置400へ番組再生を指示する再生送信処理のフローチャートを表し、図5は携帯電話機300の再生信号を受信した録画再生装置400の番組録画再生処理のフローチャートを表しており、再生指示処理と番組録画再生処理の説明を図4及び図5を参照しながら行う。
【００５２】
図4において、利用者による操作部80の再生指示を割当てたボタン押下を受付けた録画情報取得部211は、録画再生装置400の録画制御部410へ録画情報の送信を要求する信号を送信する(ステップS110)。
【００５３】
次に図5において、図4のステップS110において送信された録画情報の要求信号を受信した録画再生装置400の録画制御部410は、録画情報を読出して録画情報送信部420へ録画情報を送出する(ステップS210)。
【００５４】
録画情報を受け取った録画情報送信部420は、携帯電話機300の録画情報取得部211へ録画情報を送信する(ステップS220)。
【００５５】
次に図4を参照し、図5のステップS220において録画情報送信部420から送信された録画情報を受信した録画情報取得部211は、受け取った録画情報を携帯電話機300のメモリに記憶させ、録画情報の番組名を表示部90へ表示する(ステップS110)。
【００５６】
続いて、ステップS110により表示された番組名のうち利用者の操作により再生させる番組名の選択を番組受付部202が受付け、番組受付部202は番組名を示す信号を受信情報表示制御部203へ送出する(ステップS120)。
【００５７】
番組名を受け取った受信情報表示制御部203は、番組名に対応する番組と記憶部100の受信情報における番組が一致するか否かを判断する(ステップS130)。
【００５８】
ステップS130において選択された番組が受信情報の番組と一致しないと判断した場合、受信情報表示制御部203は再生送信部210へ当該番組と録画開始時刻を示す信号を送出する。(ステップS130:N)。
【００５９】
また、ステップS130おいて選択された番組が受信情報の番組と一致すると判断された場合、受信情報表示制御部203は当該番組の受信情報を表示部90へ表示し(ステップS130:Y)、再生位置受付部204は再生開始位置を示す時刻の選択を利用者から受付ける(ステップS150)。
【００６０】
ステップS150において再生位置受付部204が受付けた時刻が録画開始時刻か否かを判断する(ステップS160)。
【００６１】
ステップS160において、再生位置受付部204が受け取った時刻が録画開始時刻であると判断した場合(ステップS160:Y)、再生位置受付部204は再生送信部210へ当該番組を録画開始位置から再生することを指示する再生信号を送出する(ステップS170)。
【００６２】
ステップS160において、再生位置受付部204が録画開始時刻でないと判断した場合、再生送信部210へ番組と受信停止時刻とを示す信号を送出する(ステップS160:N)。
【００６３】
番組の受信停止時刻を受け取った再生送信部210は、再生開始位置受信部430に対して受信停止時刻に対応する位置から番組を再生することを指示する再生信号を送信する(ステップS180)。
【００６４】
次に図5を参照し、図4のステップS170又はステップS180において再生送信部210から録画番組の再生信号を受信した再生開始位置受信部430は、再生制御部440へ番組と時刻又は録画開始位置とを示す再生開始位置情報を送出する(ステップS230)。
【００６５】
ステップS230の再生開始位置情報を受け取った再生制御部440は、録画情報の録画開始時刻に基づき受け取った再生開始位置情報が録画開始時刻又は録画開始位置か否かを判断する(ステップS240)。
【００６６】
ステップS240において、再生制御部440が録画開始時刻又は録画開始位置であると判断した場合(ステップS240:Y)、番組の録画開始位置から番組を再生する (ステップS250)。
【００６７】
また、ステップS240において、再生制御部440が録画開始時刻でないと判断した場合(ステップS240:N)、再生制御部440は受け取った時刻に基づき再生開始位置を求め、その位置から番組を再生する(ステップS260)。
＜動作例＞
次に上述した図4及び図5の番組再生システムの動作について、図6に例示したデータを用いて図6及び図7を用いて説明する。
【００６８】
まず、図4のステップS110において携帯電話機300の録画情報取得部211が録画再生装置400の録画情報送信部420から受信した録画情報(図6(b))の番組名を表示部90へ表示した表示例を図7(a)に示している。
【００６９】
次に、図4のステップS120において番組受付部202が、図7(a)の番組名「オリンピックサッカー」を利用者の選択操作により受付け、受信情報表示制御部203へ番組名「オリンピックサッカー」を送出すると、受信情報表示制御部203は番組名「オリンピックサッカー」が図6(a)の受信情報の番組と一致するか判断する(ステップS130)。図6(a)より受信情報表示制御部203は、「オリンピックサッカー」が受信情報の番組と一致すると判断し、「オリンピックサッカー」の受信情報と録画情報を図7(b)の様に、録画開始時刻から総録画時間内において番組を受信した時間帯と未受信の時間帯を分けて表示する(ステップS140)。
【００７０】
次に、図7(b)の受信状況4120の時間帯のうち、利用者の選択操作に応じて、再生位置受付部204は再生位置を示す時刻を受付ける。
【００７１】
例えば、受信状況4120の「10:15:00から10:50:00」の時間帯の選択を受付けた場合、受信停止時刻「20040308／10:15:00」と再生番組名「オリンピックサッカー」を、再生位置受付部204は再生送信部210へ送出し(ステップS150)、再生送信部210は「20040308／10:15:00」が録画開始時刻でないと判断し(ステップS160:N)、録画再生装置400の再生開始位置受信部430へ「10:15:00」に対応する位置から「オリンピックサッカー」を再生することを指示する再生信号を送信する(ステップS180)。
【００７２】
図4のステップS180において携帯電話機300から再生信号を受信した再生開始位置受信部430は、再生制御部440へ「オリンピックサッカー」と「10:15:00」を送り(ステップS230)、「オリンピックサッカー」と「10:15:00」を受け取った再生制御部440は、図6(b)の録画情報「オリンピックサッカー」の「20040308／10:15:00」が録画開始時刻でないと判断し(ステップS240:N)、「20040308／10:15:00」に対応する再生位置を求め、「オリンピックサッカー」を当該位置から再生する(ステップS260)。
【００７３】
また、図7(a)において利用者の選択操作により番組名「大自然の不思議」を番組受付部202が受付けた場合について、上述と同様、図7(c)に示している。
【００７４】
ここで、図4のステップS150において、利用者の操作により「13:00:00〜13:10:00」の時間帯を再生位置受付部204が受付けた場合、再生送信部210へ再生番組名「大自然の不思議」と「13:00:00」を示す信号を送出し、受け取った再生送信部210は「13:00:00」が録画開始時刻であると判断し(ステップS160:Y)、録画再生装置400の再生開始位置受信部430へ「大自然の不思議」を録画開始位置から再生することを指示する再生信号を送信する(ステップS170)。
【００７５】
続いて、「大自然の不思議」を録画開始位置から再生する再生信号を受信した録画再生装置400の再生開始位置受信部430は、再生制御部440へ「大自然の不思議」と録画開始位置を示す情報を送出し(ステップS230)、再生制御部440は「大自然の不思議」を録画開始位置から再生する(ステップS250)。
【００７６】
＜補足＞
以上、本発明に係る番組再生システムについて、実施形態に基づいて説明したが、本発明は勿論これらの実施形態に限られない。以下、実施形態の変形に関して説明する。
【００７７】
(1)上述の実施形態としては携帯電話機を示したが、放送受信機能を有するモバイルＰＣやＰＤＡ(Personal Digital(Data) Assistants)であってもよい。
【００７８】
(2)実施形態の録画再生装置は、録画情報を生成し、指定された時刻に応じた位置から再生を開始する機能を有する録画再生装置であればこれに限らず、DVDレコーダやHDDレコーダであってもよい。
【００７９】
(3)実施の形態では、受信情報表示制御部202は録画再生装置400から取得した録画情報の番組から再生させる番組の選択を受付けているが、受信情報の番組から番組の選択を受付けてもよいし、携帯電話機300で受信した電子番組ガイドの番組から再生する番組の選択を受付けてもよい。
【００８０】
(4)実施の形態では、携帯電話機の表示部に利用者に選択させる番組を表示し、選択された番組の受信状況を表示しているが、再生装置に接続されたテレビ受像機に録画情報を表示し、携帯電話機を用いて再生させる番組を選択させ、当該番組の受信状況をテレビ受像機に表示させてもよい。
【００８１】
(5)上述の実施の形態として示した携帯電話機の各機能を実現させるための各処理(図3、図4、図5参照)をCPUに実行させるプログラムを、記録媒体に記録し又は電気通信回線等を通じて提供することも可能である。当該プログラムは、CPUを備える携帯端末におけるCPUで読み取り可能なメモリ等に格納されることにより利用に供され、そのCPUが当該プログラムを実行することにより実施の形態で示した携帯電話機の各機能が実現される。
【００８２】
尚、記録媒体には、ICカード、光ディスク、フレキシブルディスク等がある。
【符号の説明】
【００８３】
40放送受信部
80操作部
90表示部
100記憶部
200制御部
201受信状況検知部
202番組受付部
203受信情報表示制御部
204再生位置受付部
210再生送信部
211録画情報取得部
220外部機器制御部
400外部の録画再生装置
410録画制御部
420録画情報送信部
430再生開始位置受信部
440再生制御部
500番組再生システム
【図１】
2010119112.tif 000003
【図２】
2010119112.tif 000004
【図３】
2010119112.tif 000005
【図４】
2010119112.tif 000006
【図５】
2010119112.tif 000007
【図６】
2010119112.tif 000008
【図７】
2010119112.tif 000009